(57)【要約】      （修正有）【課題】製作を簡潔にし、製作時間を短縮させ、さらに見た目も良くし、取り付ける衣服例えば和服のポンチョに合うような紐花飾りを提供する。【解決手段】紐花飾りは、花弁の輪郭を形成するようにループ状に折り曲げ、その両端部を環状に集めることにより、ループ部が放射状に配置された複数の紐状片と、それら複数の紐状片の端部同士を順次縫い合わせて中央に寄せ集めることによって、花の中心部に集合端部を形成する縫い合わせ糸と、前記集合端部に重ね合わせることによって、花の芯を構成するためのボタンと、前記ボタンと前記集合端部とを固定する固定手段と、を備えたことを特徴とする。【選択図】図１
0003151846.tif 000002
【実用新案登録請求の範囲】
【請求項１】
花弁の輪郭を形成するようにループ状に折り曲げ、その両端部を環状に集めることにより、ループ部が放射状に配置された複数の紐状片と、
それら複数の紐状片の端部同士を順次縫い合わせて中央に寄せ集めることによって、花の中心部に集合端部を形成する縫い合わせ糸と、
前記集合端部に重ね合わせることによって、花の芯を構成するためのボタンと、
前記ボタンと前記集合端部とを固定する固定手段と、
を備えたことを特徴とする紐花飾り。
【請求項２】
前記固定手段は、前記集合端部と前記ボタンとに関して、
固定用糸にて結合すること、
接着剤層にて貼り合わせること、
それぞれに装着された面ファスナー片により密着させること、
及び各々を合わせてピンで留めつけること、
のうちから選ばれた少なくともいずれか１つの手段である請求項１に記載の紐花飾り。
【請求項３】
前記ボタンは、前記集合端部に載置される芯材をその集合端部の反対側から表皮材でくるんだ包みボタンで構成される一方、
前記固定手段は、前記包みボタンを前記集合端部に固定するための固定用糸で構成され、
前記固定用糸は、前記縫い合わせ糸よりも前記包みボタン寄りの位置において、前記集合端部と前記表皮材とを前記包みボタンの周方向に沿って縫い付けるものである請求項１に記載の紐花飾り。
【請求項４】
前記縫い合わせ糸と前記固定用糸とは、連続する１本の糸で形成されている請求項３に記載の紐花飾り。
【請求項５】
前記複数の紐状片は、花の中心部から見たループ高さが異なる少なくとも２種からなり、
ループ高さが相対的に小さい小ループ片の端部と、ループ高さが相対的に大きい大ループ片の端部とが交互に環状に並ぶように配置されている請求項１ないし４のいずれか１項に記載の紐花飾り。
【請求項６】
前記小ループ片のループ部は、前記大ループ片のループ部に対して、前記ボタンが固定される側に位置するように重ね合わせて配置されている請求項５に記載の紐花飾り。
【請求項７】
前記縫い合わせ糸は、交互に環状に並んだ小ループ片の端部と大ループ片の端部とを、並び順通りに周方向に沿って挿通し、前記集合端部を形成している請求項５または６に記載の紐花飾り。
【請求項８】
前記複数の紐状片は、前記小ループ片と大ループ片とを対にして七対で構成される請求項５ないし７のいずれか１項に記載の紐花飾り。
【請求項９】
前記紐状片は、斜めに裁断したテープであるバイアステープを紐状にしたものである請求項１ないし８のいずれか１項に記載の紐花飾り。
【請求項１０】
前記縫い合わせ糸は前記集合端部を一周以上挿通し、一部の紐状片の端部には、前記縫い合わせ糸が二度挿通する二重縫い部分が形成されている請求項１ないし９のいずれか１項に記載の紐花飾り。
【請求項１１】
前記集合端部には、前記ボタンの固定側とは反対側において、衣服に装着するための装着手段が取り付けられている請求項１ないし１０のいずれか１項に記載の紐花飾り。
【請求項１２】
前記装着手段は、その両端部が前記集合端部に固定されるループ状の装着紐である請求項１１に記載の紐花飾り。
【請求項１３】
請求項１２に記載された紐花飾りを一対備え、
前記一対の紐花飾りは、左右の前身頃において、前記装着紐のループ状部分が身体の中央側にそれぞれ延出する形態にて、前記ボタンを手前側として前記集合端部が前記装着紐とともにそれぞれ固定されることを特徴とする和服。
【考案の詳細な説明】
【技術分野】
【０００１】
この考案は、紐花飾り及びそれを用いた和服に関する。
【背景技術】
【０００２】
例えば着物の上に羽織るポンチョ等に使われる紐飾りは、紐を様々な結び方によって作られ、その他に布を絞ったり複雑に縫い合わせたりして様々な飾りで作られる。
【０００３】
花の形をした紐花飾りを作る場合、花弁に見立てた紐を折り曲げ、それら紐を重ね合わせて作ることがある。従来では、花弁の紐を１つずつ折り曲げ、それぞれを糸で縫い合わせ、それらを後で重ね合わせて紐花飾りを作っていた。
【考案の概要】
【考案が解決しようとする課題】
【０００４】
しかしながら従来のような紐花飾りでは、１つずつ折り曲げた紐を作り、それらを重ね合わせて作成するため手間がかかり、また糸が花の芯に集中してしまい、芯が膨らみ見た目が悪くなってしまっていた。
【０００５】
そこで本考案は、製作を簡潔にし、製作時間を短縮させ、さらに見た目も良くし、取り付ける衣服例えば和服のポンチョに合うような紐花飾りを提案する。
【課題を解決するための手段及び考案の効果】
【０００６】
本考案の紐花飾りは、上記課題を解決するために花弁の輪郭を形成するようにループ状に折り曲げ、その両端部を環状に集めることにより、ループ部が放射状に配置された複数の紐状片と、それら複数の紐状片の端部同士を順次縫い合わせて中央に寄せ集めることによって、花の中心部に集合端部を形成する縫い合わせ糸と、前記集合端部に重ね合わせることによって、花の芯を構成するためのボタンと、前記ボタンと前記集合端部とを固定する固定手段と、を備えたことを特徴とする。
【０００７】
複数の紐状片の端部の集まりである集合端部が形成されることで、縫い合わせが簡潔になり、さらに製作時間を短縮することができる。また、個々に折り曲げた紐状片を縫い合わせるための糸を使うことなく製作でき、つまり集合端部を縫い合わせる以外の無駄な糸を使わずにすむ。形成される集合端部は、芯を成すボタン、例えば包みボタンにより支えられ、紐花飾りの形を維持するのに役立つ。
【０００８】
さらに固定手段として、集合端部とボタンとに関して、固定用糸にて結合すること、接着剤層にて貼り合わせること、それぞれに装着された面ファスナー片により密着させること、及び各々を合わせてピンで留めつけること、のうちから選ばれた少なくともいずれか１つの手段を採用できる。面ファスナー片やピンであれば、ボタンを取り外すことも可能で、他の種類の包みボタンに付け替える等することで印象を変えることもでき、接着剤層や縫い合わせ糸であれば、ボタンが外れることなく固定される。また、これら手段を組み合わせて固定しても良い。
【０００９】
またボタンは、集合端部に載置される芯材をその集合端部の反対側から表皮材でくるんだ包みボタンで構成される一方、固定手段は、包みボタンを集合端部に固定するための固定用糸で構成され、固定用糸は、縫い合わせ糸よりも包みボタン寄りの位置において、集合端部と表皮材とを包みボタンの周方向に沿って縫い付けるものとすることができる。これによって、中央に寄せ集めた集合端部に包みボタンを固定し、包みボタンの表皮材と集合端部を縫い付けることで、包みボタンを製作しながら、集合端部と包みボタンとを固定することができる。また、包みボタンの芯材は金属、木、合成樹脂等で形成され、表皮は布や革製で形成されたものがよく使われ、好適には紐状片と同じ柄の布とすると統一感がでる。
【００１０】
さらに縫い合わせ糸と固定用糸とは、連続する１本の糸で形成できる。つまり、固定用糸と縫い合わせ糸が一本でつながっており、一本で集合端部と包みボタンとを縫い合わせることができる。このようにすることで、他の糸を用意する必要がなく、縫い合わせ糸が一本ですみ、糸を切ること等の余計な手間が省ける。
【００１１】
複数の紐状片は、花の中心部から見たループ高さが異なる少なくとも２種からなり、ループ高さが相対的に小さい小ループ片の端部と、ループ高さが相対的に大きい大ループ片の端部とが交互に環状に並ぶように配置できる。これによって、互い違いに重ね合わせた端部がずれ難く、小ループ片と大ループ片とが重なり合う立体的な紐花飾りとすることが出来る。さらに、小ループ片のループ部を、大ループ片のループ部に対して、ボタンが固定される側に位置するように重ね合わせて配置することで、大ループ片と小ループ片との位置関係が決まり、全体として小ループ片がボタンの固定側に位置され統一感や立体感がいっそうでる。また縫い合わせ糸は、交互に環状に並んだ小ループ片の端部と大ループ片の端部とを、並び順通りに周方向に沿って挿通し、集合端部を形成することで、簡潔に集合端部を縫い合わせることができる。
【００１２】
複数の紐状片は、小ループ片と大ループ片とを対にして七対で構成されるとバランスの取れた放射状の紐花飾りとすることができる。また紐状片は、斜めに裁断したテープであるバイアステープを紐状にしたものであることにより、紐状片をきれいに折り曲げることができる。
【００１３】
さらに、縫い合わせ糸は集合端部を一周以上挿通し、一部の紐状片の端部には、前記縫い合わせ糸が二度挿通する二重縫い部分が形成されていることで、きれいに集合端部を環状にすることができ、また縫い合わせ糸を引っ張ることで集合端部を中央部に寄せ集めやすくなる。
【００１４】
さらに集合端部には、ボタンの固定側とは反対側において、衣服に装着するための装着手段が取り付けられていることで、衣服に紐花飾りを装着する際に紐花飾りの形を崩すことなく装着でき、ボタンと装着手段で集合端部を挟む形となり、集合端部の支えをより強くすることができる。また装着手段は、その両端部が集合端部に固定されるループ状の装着紐とすることで、装着紐を羽織紐のように使用することができるようになる。
【００１５】
さらに、本考案の和服は、上記課題を解決するために、紐花飾りを一対備え、前記一対の紐花飾りは、左右の前身頃において、前記装着紐のループ状部分が身体の中央側にそれぞれ延出する形態にて、前記ボタンを手前側として前記集合端部が前記装着紐とともにそれぞれ固定されることを特徴とする。
【００１６】
このような和服では、装着紐は例えば羽織等の衣服に取り付けられ、羽織の胸元が開かないように結ぶ羽織紐として使用される。上記紐花飾りを取り付けることによって、安価で見栄えのする和服を容易に実現することができる。
【図面の簡単な説明】
【００１７】
【図１】本考案の紐花飾りの一例を示す平面図。
【図２】図１に対応する概略横断面図。
【図３】本考案の紐花飾りをなす紐状片の一部を示した図。
【図４Ａ】図１の紐花飾りの製作手順１を示した図。
【図４Ｂ】図４Ａに続く製作手順２を示した図。
【図４Ｃ】図４Ｂに続く製作手順３を示した図。
【図５】本考案の紐花飾りにボタンを取り付ける図。
【図６】本考案の紐花飾りを和服に装着した態様を示す斜視図。
【図７】本考案の紐花飾りに包みボタンを固定する手段１を示した図。
【図８】本考案の紐花飾りに包みボタンを固定する手段２を示した図。
【図９】本考案の紐花飾りに包みボタンを固定する手段３を示した図。
【図１０】本考案の紐花飾りに包みボタンを固定する手段４を示した図。
【考案を実施するための形態】
【００１８】
以下、本考案の実施形態を、図面を参照しながら説明する。
【００１９】
図１は、本考案の紐花飾り１の一例である。また図２は、図１の概略横断面図である。紐花飾り１は、マーガレットやコスモスといった花の形を模して作られている。紐がループ状に折り曲げられた大ループ片２と小ループ片３がそれぞれ７本あり、交互に並んでいる。紐花飾り１の花の芯を成す包みボタン４があり、好適には包みボタン４の柄は紐の柄と同じものを用いると統一感がでる。そして、紐花飾り１の芯の裏側には和服に装着する装着手段である羽織紐５が取り付けられている。
【００２０】
この紐花飾り１の使用される紐状片２及び３は、紐を折り曲げやすくかつ折り曲げた部分がしわにならないようするために、市販されているバイアステープや布を斜めに裁断しバイアステープにしたもの等が好適である。さらに、紐飾り１を取り付ける服と同じ柄の布で（例えば服を製作した余り布等）で作れば、一体感や統一感がありさらに良い。
【００２１】
図３に、本考案の紐花飾り１を構成する大ループ片２と小ループ片３を一組とし、それぞれの端８２、８３を交互に組み合わせた大小一対の紐状片（以下、大小ループ片７という）を示した。大ループ片２の端８２と小ループ片３の端８３を交互に合わせた部分を集合端部８８とし、かつ各紐状片のループ部２２、３２の向き、つまり紐状片を折り曲げた部分を揃えて大小ループ片７としている。小ループ片３は大ループ片２の上に配置され、言い換えると小ループ片３のループ部３２はその小ループ片３の両端８３に挟まれた大ループ片２の一端部８２より延びた一辺上に位置する。これにより、小ループ片３が大ループ片２より浮き上がり（図２も参照）、立体的な形状となる。小ループ片３が浮き上がって見える面を表とし、表に包みボタン４は取り付けられる。なお、大ループ片２の花の中心部つまり紐の端からループ部２２までのループ高さＨ２は、小ループ片３紐の端からループ部３２までのループ高さＨ３よりも相対的に大きい。
【００２２】
本考案の紐花飾り１の製作法を説明する。なお、大小ループ片７を縫い合わせる順により区別する場合、最初に針を通す１組目の大小ループ片を７１、次の２組目の大小ループ片を７２、・・・、針を通す７組目の大小ループ片を７７とする。
【００２３】
図１に示す紐花飾り１を製作するために、大ループ片２と小ループ片３をそれぞれ７本用意する。大ループ片２の端から他方の端までの全長を７センチ、小ループ片３の端から他方の端までの全長を５センチとすると和服等に取り付けるにはちょうど良い大きさとなる。前述した大小ループ片７を製作するために、大ループ片２の端部８２と小ループ片３の端部８３とを交互に重ねて集合端部８８を製作し、その集合端部８８に針で一本の縫い合わせ糸９（以下、糸９ともいう）を通して１組の大小ループ片７１を縫い合わせ（図３、４Ａ参照）、１組目と同様に重ね合わせて製作した２組目の大小ループ片７２の集合端部８８にそのままその糸９を通し、縫い合わせていく。端部８２、８３は各々紐状片の端から０．５センチくらいのところで縫い合わせることで花弁の大きさが整い、統一感がでる。残り５組の大小ループ片７３，７４，７５，７６，７７を同じように糸９で縫い合わせる。このとき、糸９が絡まないようにし、また集合端部８８がずれないように適宜待ち針や仮縫い等をして、縫い合わせていくとよい。複数の大小ループ片７を縫い合わせる際、それぞれの大ループ片２と小ループ片３の端部８２、８３の重ね合わせの順番が同じ、つまり小ループ片３が浮き上がったように見える表向きで縫い合わせる。そうすることで、全ての小ループ片３が真横から見ても浮き上がり、統一感や立体感をより一層かもし出す（図２も参照）。
【００２４】
そして、７組目の大小ループ片７７を縫い合わせた後、図４Ａに示すように大小ループ片７７と１組目の大小ループ片７１とを縫い合わせる。その縫い合わせた部分を二重縫い部分８９とする。二重縫い部分８９により、７組の大小ループ片７は全て一連となり、かつ糸９が環状に一周以上して、二重に貫通した集合端部８８が存在することとなる。なお、１組目の大小ループ片７１の集合端部８８を貫通させなくてもよく、最初に糸９を通した紐状片の端部８２（または８３）にのみ糸９を通しても良い。図４Ｂに示すように糸９を引っ張り、そして図４Ｃに示すように中央部に隙間がなくなり、糸９がたるみのないように糸９を引っ張ることで、７組それぞれの大小ループ片７の集合端部８８が花の中央部となる位置に寄せ集まり、その状態で玉留め等により縫い終える。このようにすれば、一針で一気に紐飾り１の花弁を製作できる。
【００２５】
図５には、包みボタン４を集合端部８８に取り付ける図を示した。包みボタン４を固定する固定用糸とは、集合端部８８を縫い合わせる糸９と一体化、言い換えれば一本でつながっていることで、一本の糸９で紐花飾り１を製作できる。また、包みボタン４は芯材４９を表皮材とする布４０でくるみ、その布４０を留めつけ作るが、集合端部８８を縫い合わせる糸９で包みボタン４を固定するのと同様の糸９で包みボタン４の布等を留めつければ、包みボタン４の製作と集合端部８８の固定とが１本の糸９で出来る（図２も参照）。
【００２６】
図１に示すループ状の羽織紐５は、包みボタン４と同様の手段または他の手段の組合せにより紐花飾り１の包みボタン４とは反対側の集合端部８８に取り付けられる。例えば、紐飾り１を和服のポンチョなどの服に取り付け使用する。図６に、本考案の紐花飾り１の使用例を示した。羽織の重ね部分に２つの紐花飾り１を着け、羽織紐５で縛ることで羽織の重ね部分が開いてしまうこと等を防ぐことができる。また、羽織紐５は全長３０センチくらいとすると、羽織に紐花飾り１を取り付けて使用する場合にちょうど良い長さとなる。
【００２７】
また、図３に示したような包みボタン４と集合端部８８とを固定する例とは他の、別実施例を図７〜１０に示した。その固定手段は、例えば集合端部８８と包みボタン４との間に粘着剤層４１を設け、その粘着力によって貼り合わせる（図７参照）。図８には、集合端部８８と包みボタン４のそれぞれに面ファスナー片４２を装着することで密着させる例を示した。また糸で縫い合わせる場合、集合端部８８を縫い合わせた糸９ではなく、集合端部８８を縫い合わせた後に固定用糸９１によって縫い合わせても良い（図９参照）。このとき、包みボタン４の表皮を固定用糸９１で集合端部８８と包みボタン４とを固定しながら、縫い合わせてもよい。図１０には、安全ピン４３を包みボタン４に取り付け、そのピン４３で集合端部８８に取り付ける例を示した。また、これらを組み合わせて包みボタン４と集合端部８８とを固定しても良い。
【００２８】
なお、以上説明したような形態は本考案の一実施例にすぎず、大小ループ片７は何組でも良いし、またすべての紐状片の長さは同じでも良く、羽織紐５はなくても良いし、包みボタン４と集合端部８８との固定手段も、例示した限りではない。
【符号の説明】
【００２９】
１  紐花飾り
２  大ループ片
３  小ループ片
４  包みボタン
７  大小ループ片
８８  集合端部
【図１】
0003151846.tif 000003
【図２】
0003151846.tif 000004
【図３】
0003151846.tif 000005
【図４Ａ】
0003151846.tif 000006
【図４Ｂ】
0003151846.tif 000007
【図４Ｃ】
0003151846.tif 000008
【図５】
0003151846.tif 000009
【図６】
0003151846.tif 000010
【図７】
0003151846.tif 000011
【図８】
0003151846.tif 000012
【図９】
0003151846.tif 000013
【図１０】
0003151846.tif 000014